(57)【要約】【課題】負荷を低減させること。【解決手段】基地局は、当該基地局が輻輳状態であるかどうかを判定する輻輳状態判定部と、輻輳状態であると判定された場合に、複数の規制すべき対象から、規制すべき対象を順次設定する規制対象設定部と、輻輳状態であると判定された場合に、該輻輳状態に基づいて、規制すべき期間を設定する規制期間設定部と、規制すべき対象を表す情報と、規制期間を表す情報とを、ユーザ端末に通知する通知部とを有する。【選択図】図２
2012231335.tif 000002
【特許請求の範囲】
【請求項１】
ユーザ端末との間で無線通信を行う基地局であって、
当該基地局が輻輳状態であるかどうかを判定する輻輳状態判定部と、
該輻輳状態判定部により輻輳状態であると判定された場合に、複数の規制すべき対象から、規制すべき対象を順次設定する規制対象設定部と、
前記輻輳状態判定部により輻輳状態であると判定された場合に、該輻輳状態に基づいて、規制すべき期間を設定する規制期間設定部と、
前記規制対象設定部により設定されるべき規制すべき対象を表す情報と、前記規制期間設定部により設定されるべき規制期間を表す情報とを通知するための情報を生成する通知情報生成部と、
ユーザ端末に、前記通知情報生成部により生成された情報を送信する送信部と
を有する、基地局。
【請求項２】
請求項１に記載の基地局において、
前記規制対象設定部は、セル、呼種、ユーザ端末の種別から、規制すべき対象を選択する、基地局。
【請求項３】
請求項２に記載の基地局において、
前記規制対象設定部は、規制すべき対象としてセルを選択した場合に、周波数及びセルの識別子のうち、少なくとも一方により、規制すべきセルを指定する、基地局。
【請求項４】
請求項２に記載の基地局において、
前記規制対象設定部は、規制すべき対象として呼種を選択した場合に、ユーザ端末からの発呼、ユーザ端末からの発信信号、及び回線交換サービスのうち、少なくとも１つにより、規制すべき呼種を指定する、基地局。
【請求項５】
請求項２に記載の基地局において、
前記規制対象設定部は、規制すべき対象としてユーザ端末の種別を選択した場合に、一般のユーザのユーザ端末、優先して接続すべきユーザのユーザ端末、及び保守を行う者のユーザ端末ユーザ端末のうち、少なくとも１つにより、規制すべきユーザ端末の種別を指定する、基地局。
【請求項６】
請求項１に記載の基地局において、
前記通知情報生成部は、報知情報が変更されることを表す情報を含む呼び出しメッセージと、前記規制対象設定部により設定されるべき規制すべき対象を表す情報と、前記規制期間設定部により設定されるべき規制期間を表す情報とを通知するための情報とを含むシステムインフォメーションを生成する、基地局。
【請求項７】
ユーザ端末との間で無線通信を行う基地局における通信制御方法であって、
当該基地局が輻輳状態であるかどうかを判定する輻輳状態判定ステップと、
該輻輳状態判定ステップにより輻輳状態であると判定された場合に、複数の規制すべき対象から、規制すべき対象を順次設定する規制対象設定ステップと、
前記輻輳状態判定ステップにより輻輳状態であると判定された場合に、該輻輳状態に基づいて、規制すべき期間を設定する規制期間設定ステップと、
前記規制対象設定ステップにより設定されるべき規制すべき対象を表す情報と、前記規制期間設定ステップにより設定されるべき規制期間を表す情報とを通知するための情報を生成する通知情報生成ステップと、
ユーザ端末に、前記通知情報生成ステップにより生成された情報を送信する送信ステップと
を有する、通信制御方法。
【発明の詳細な説明】
【技術分野】
【０００１】
本発明は、無線通信システムに関する。
【背景技術】
【０００２】
LTE(Long Term Evolution)は、移動体通信システムの標準化団体3GPP(3rd Generation Partnership Project)にて、仕様が作成されている。LTEでは、下りリンクにおいて100Mbps以上、上りリンクにおいて50Mbps以上の高速通信が実現され、遅延の改善や周波数の利用効率の向上などが図られる。
【先行技術文献】
【非特許文献】
【０００３】
【非特許文献１】3GPP TS 36.331 V10.0.0 (5.2 System information 5.2.1 Introduction) 2010-12
【発明の概要】
【発明が解決しようとする課題】
【０００４】
ユーザ端末からのアクセスが集中することにより、基地局では負荷が増大し、輻輳が生じる場合がある。具体的には、お正月等のイベントによりアクセスが集中する場合、災害が発生したことによりアクセスが集中する場合、事故が発生したことによりアクセスが集中する場合、基地局を立ち上げる際にアクセスが集中する場合に装置輻輳が想定される。輻輳の程度によっては、基地局が正常に動作しなくなる場合がある。最悪の場合、基地局内でパケットが消失したり、基地局自体が動作停止状態となったりすることが懸念される。
【０００５】
開示の基地局は、負荷を低減させることを目的とする。
【課題を解決するための手段】
【０００６】
開示の一実施例の基地局は、
ユーザ端末との間で無線通信を行う基地局であって、
当該基地局が輻輳状態であるかどうかを判定する輻輳状態判定部と、
該輻輳状態判定部により輻輳状態であると判定された場合に、複数の規制すべき対象から、規制すべき対象を順次設定する規制対象設定部と、
前記輻輳状態判定部により輻輳状態であると判定された場合に、該輻輳状態に基づいて、規制すべき期間を設定する規制期間設定部と、
前記規制対象設定部により設定されるべき規制すべき対象を表す情報と、前記規制期間設定部により設定されるべき規制期間を表す情報とを通知するための情報を生成する通知情報生成部と、
ユーザ端末に、前記通知情報生成部により生成された情報を送信する送信部と
を有する。
【０００７】
開示の一実施例の通信制御方法は、
ユーザ端末との間で無線通信を行う基地局における通信制御方法であって、
当該基地局が輻輳状態であるかどうかを判定する輻輳状態判定ステップと、
該輻輳状態判定ステップにより輻輳状態であると判定された場合に、複数の規制すべき対象から、規制すべき対象を順次設定する規制対象設定ステップと、
前記輻輳状態判定ステップにより輻輳状態であると判定された場合に、該輻輳状態に基づいて、規制すべき期間を設定する規制期間設定ステップと、
前記規制対象設定ステップにより設定されるべき規制すべき対象を表す情報と、前記規制期間設定ステップにより設定されるべき規制期間を表す情報とを通知するための情報を生成する通知情報生成ステップと、
ユーザ端末に、前記通知情報生成ステップにより生成された情報を送信する送信ステップと
を有する。
【発明の効果】
【０００８】
開示の実施例によれば、基地局の処理負荷を低減させることができる。
【図面の簡単な説明】
【０００９】
【図１】無線通信システムの一実施例を示す図である。
【図２】基地局の一実施例を示す機能ブロック図である。
【図３】システムインフォメーションの送信例を示す図である。
【図４】基地局の動作の一実施例を示すフローチャートである。
【図５】基地局の動作の一実施例を示す図である。
【発明を実施するための形態】
【００１０】
次に、本発明を実施するための形態を、以下の実施例に基づき図面を参照しつつ説明する。
なお、実施例を説明するための全図において、同一機能を有するものは同一符号を用い、繰り返しの説明は省略する。
【００１１】
＜実施例＞
＜無線通信システム＞
図１は、無線通信システムの一実施例を示す。
【００１２】
本無線通信システムには、基地局(eNB: eNode B)２００と、ユーザ端末(UE: User Equipment)１００ｎ（ｎは、ｎ＞０の整数）とが含まれる。図１には、ｎ＝５の例について示される。
【００１３】
基地局２００の上位にはMME(Mobility Management Entity)/S-GW(Serving-Gateway)（図示なし）が設置される。MME/S-GWは、コアネットワークに含まれ、NAS(Non-Access Stratum)を終端し、アイドル状態であるユーザ端末の管理、SAE(System Architecture Evolution)ベアラリソースの管理を行う。MME/S-GWは、コアノードと呼ばれてもよい。
【００１４】
基地局２００は、所定の場合に、当該基地局２００への上りリンクの信号を抑制するように制御する。また、基地局２００は、所定の場合に、当該基地局２００への上りリンクの信号を減少させるように制御するようにしてもよい。所定の場合には、当該基地局２００が輻輳する場合が含まれる。
【００１５】
基地局２００は、当該基地局２００への上りリンクの信号を抑制するように制御する際に、以下の処理を行う。
【００１６】
基地局２００は、規制すべき対象を切替えることにより、当該基地局２００への上りリンクの信号を抑制する。規制すべき対象を切替えることにより、規制すべき対象に該当するユーザ端末が変更されるため、各ユーザ端末からの上りリンクの信号を均等に抑制できる。
【００１７】
＜規制すべき対象の例＞
＜セル＞
規制すべき対象には、セルが含まれる。
【００１８】
基地局２００によりカバーされるエリアには、１又は複数のセル２５０ｍ（ｍは、ｍ＞０の整数）が含まれる。図１に示される例では、基地局２００によりカバーされるエリアは、セル２５０１、セル２５０２、及びセル２５０３が含まれる。基地局２００によりカバーされるエリアは１又は２のセルであってもよいし、４以上のセルであってもよい。セル２５０１、セル２５０２、及びセル２５０３は、セクタと呼ばれてもよい。該複数のセルには、同一周波数帯で無線通信可能なセルや、異なる周波数帯で無線通信可能なセルが含まれる。具体的には、基地局２００によりカバーされる複数のセルを、規制すべき対象とする。つまり、複数のセルのうち、規制すべき対象とするセルを順次切替える。規制すべき対象とするセルを順次切替える際に、周波数帯により規制すべきセルが指定されてもよいし、規制すべき対象とするセクタが指定されてもよい。
【００１９】
また、基地局２００を単位として、該基地局２００によりカバーされるセルが切替えられてもよい。具体的には、コアノードと接続される複数の基地局によりカバーされるセルが切替えられてもよい。基地局を単位としたセルの切替は、ネットワークにおける保守運用管理機能(OAM: Operation Administration and Maintenance)を有する装置により実行されてもよい。
【００２０】
＜呼種＞
規制すべき対象には、呼種が含まれる。
【００２１】
具体的には、呼種には、ユーザ端末１００ｎからの発信信号(MO(Mobile Originated) signaling)と、ユーザ端末１００ｎからの発呼(MO data)と、回線交換(CS: Circuit Switch)サービスとが含まれる。
【００２２】
ユーザ端末１００ｎからの発信信号には、位置登録と、アタッチ(Attach)とが含まれる。
【００２３】
基地局２００は、規制すべき対象として呼種を切替える。呼種を切替える際に、ユーザ端末１００ｎからの発信信号、ユーザ端末１００ｎからの発呼、回線交換サービスのうちから、所定の順番で、規制すべき内容を切替えるようにしてもよい。ランダムに規制すべき内容が切替えられてもよい。
【００２４】
ユーザ端末１００ｎからの発信信号に、規制すべき対象が切替えられることにより、ユーザ端末１００ｎからの発信信号が規制される。つまり、ユーザがユーザ端末１００ｎの電源を起動し、本来ならアタッチ要求信号が送信される場合でも、該ユーザ端末１００ｎからアタッチ要求信号は送信されない。また、ユーザ端末１００ｎの位置登録エリアが変わり、本来なら位置登録信号が送信される場合でも、該ユーザ端末１００ｎから位置登録信号は送信されない。
ユーザ端末１００ｎからの発呼に、規制すべき対象が切替えられることにより、ユーザ端末１００ｎからの発呼が記載される。つまり、ユーザにより発呼のための操作が実行されても、該ユーザ端末１００ｎから発呼の際に送信されるべき信号は送信されない。発呼が規制されていることを該ユーザ端末１００ｎで表示するようにしてもよい。具体的には、ユーザにより発呼のための操作が実行される際に、発呼が規制されていることを表示するようにしてもよい。ユーザにより発呼のための操作が実行され、ユーザ端末１００ｎから発呼の際に送信されるべき信号が送信されても、基地局２００により、該発呼の際に送信されるべき信号に対応する処理が行われないようにしてもよい。
【００２５】
また、ユーザ端末１００ｎへの着呼に、規制すべき対象が切替えられてもよいユーザ端末１００ｎへの着呼に、規制すべき対象が切替えられることにより、ユーザ端末１００ｎへの着呼が規制される。つまり、他のユーザにより、規制すべき対象のユーザ端末に対する着呼のための操作が実行されても、該他のユーザのユーザ端末１００ｎへの着呼は受け付けられない。着呼が規制されていることを通知するようにしてもよい。具体的には、他のユーザにより着呼のための操作が実行された場合に、着呼先のユーザ端末は規制されていることを通知するようにしてもよい。他のユーザにより着呼のための操作が実行され、他のユーザのユーザ端末１００ｎから着呼の際に送信されるべき信号が送信されても、基地局２００により、該着呼の際に送信されるべき信号に対応する処理が行われないようにしてもよい。
【００２６】
回線交換サービスに、規制すべき対象が切替えられることにより、ユーザ端末１００ｎにおける回線交換のサービスが規制される。ユーザ端末１００ｎは、回線交換のサービスは規制されているが、パケット交換によるサービスでは通信を行うことができる。
【００２７】
＜ユーザ端末の種別＞
規制すべき対象には、ユーザ端末１００ｎの種別が含まれる。
【００２８】
具体的には、ユーザ端末１００ｎの種別には、一般のユーザのユーザ端末と、優先して接続すべきユーザのユーザ端末と、保守等を行う者のユーザ端末とが含まれてもよい。ユーザ端末の種別はアクセスクラス(Access Class)で指定されてもよい。
【００２９】
一般のユーザのユーザ端末に、規制すべき対象が切替えられることにより、一般のユーザのユーザ端末からの通信が規制される。一般のユーザのユーザ端末からの通信が規制される場合、該一般のユーザのユーザ端末からの信号は基地局２００に送信されない。また、基地局２００から、該一般のユーザのユーザ端末宛の信号は送信されないようにしても良い。
【００３０】
優先して接続すべきユーザのユーザ端末に、規制すべき対象が切替えられることにより、優先して接続すべきユーザのユーザ端末からの通信が規制される。優先して接続すべきユーザのユーザ端末からの通信が規制される場合、該優先して接続すべきユーザのユーザ端末からの信号は基地局２００に送信されない。また、基地局２００から、該優先して接続すべきユーザのユーザ端末宛の信号は送信されないようにしてもよい。
【００３１】
保守等を行う者のユーザ端末に、規制すべき対象が切替えられることにより、保守等を行う者のユーザ端末からの通信が規制される。保守等を行う者のユーザ端末からの通信が規制される場合、該保守等を行う者のユーザ端末からの信号は基地局２００に送信されない。また、基地局２００から、該保守等を行う者のユーザ端末宛の信号は送信されないようにしてもよい。
【００３２】
優先して接続すべきユーザのユーザ端末に規制すべき対象が切替えられる頻度は、一般のユーザのユーザ端末に規制すべき対象が切替えられる頻度、保守等を行う者のユーザ端末に規制すべき対象が切替えられる頻度よりも低いことが好ましい。一般のユーザ、保守等を行う者よりも優先して接続すべきユーザであるためである。
【００３３】
＜基地局の機能＞
図２は、基地局２００の一実施例を示す。
【００３４】
基地局２００は、輻輳状態判定部２０２を有する。輻輳状態判定部２０２は、当該基地局２００の輻輳状態を判定するための情報（以下、「輻輳状態判定情報」という）に基づいて、当該基地局２００が輻輳状態であるかどうかを判定する。具体的には、輻輳状態判定部２０２には、輻輳状態判定情報として、当該基地局２００に実装されているCPUの使用率を表す情報（以下、「CPU使用率」という）が入力される。輻輳状態判定部２０２は、該CPU使用率に基づいて、当該基地局２００が輻輳状態であるかどうかを判定するようにしてもよい。複数のCPUが実装されている場合には、平均値が使用されてもよいし、該複数のCPUのCPU使用率のうち、CPU使用率の最大値もしくは最小値が使用されてもよい。また、所定の統計処理を行うことにより、CPU使用率が算出されてもよい。
【００３５】
また、CPU使用率に基づいて、輻輳の程度（レベル）を判定するようにしてもよい。輻輳状態判定部２０２は、当該基地局２００が輻輳状態であると判定した場合、規制対象設定部２０４、規制期間設定部２０６に、輻輳状態であることを通知する。輻輳状態であることとともに、輻輳のレベルが通知されてもよい。輻輳のレベルが通知されることにより、輻輳状態であることが通知されてもよい。輻輳のレベルとしてCPU使用率が通知されてもよい。
【００３６】
基地局２００は、規制対象設定部２０４を有する。該規制対象設定部２０４は、輻輳状態判定部２０２と接続される。規制対象設定部２０４は、輻輳状態判定部２０２により、当該基地局２００が輻輳状態であることが通知された場合、規制すべき対象を設定する。具体的には、セル、呼種、ユーザ端末の種別から選択される。セル、呼種、ユーザ端末の種別から１つが選択されてもよいし、２つ以上が選択されてもよいし、全てが選択されてもよい。セル、呼種、ユーザ端末の種別について、規制すべき対象を選択する際の順序が予め規定されていてもよい。規制対象設定部２０４は、該順序に従って、規制すべき対象を選択する。
【００３７】
さらに、規制対象設定部２０４は、選択した規制すべき対象について、規制すべき内容を設定する。
【００３８】
具体的には、規制すべき対象としてセルが選択された場合には、規制すべき内容として、規制すべきセルの周波数、規制すべきセルが設定されてもよい。また、規制すべき対象として、基地局を単位としてセルが切替えられる場合には、規制対象設定部２０４は、当該基地局が規制すべき対象とされる場合に、規制すべき対象である当該基地局内の全セルを設定してもよい。つまり、ネットワークにおける保守運用管理機能を有する装置により、規制すべき対象であることが通知された場合に、規制対象設定部２０４は、当該基地局に含まれる全セルが規制すべき対象のセルであることを設定してもよい。
【００３９】
また、規制すべき対象として呼種が選択された場合には、規制すべき内容として、ユーザ端末からの発信信号、ユーザ端末からの発呼、回線交換サービスから設定されてもよい。ユーザ端末からの発信信号、ユーザ端末からの発呼、回線交換サービスのうち、１つが設定されてもよいし、２つが設定されてもよいし、全てが設定されてもよい。
【００４０】
また、規制すべき対象としてユーザ端末の種別が選択された場合には、規制すべき内容として、一般のユーザのユーザ端末、優先して接続すべきユーザのユーザ端末、保守等を行う者のユーザ端末から設定されてもよい。一般のユーザのユーザ端末、優先して接続すべきユーザのユーザ端末、保守等を行う者のユーザ端末のうち、１つが設定されてもよいし、２つが設定されてもよいし、全てが設定されてもよい。
【００４１】
規制対象設定部２０４は、システムインフォメーション編集部２０８に、規制すべき対象を表す情報と、規制すべき内容を表す情報とを入力する。
【００４２】
基地局２００は、規制期間設定部２０６を有する。該規制期間設定部２０６は、輻輳状態判定部２０２と接続される。規制期間設定部２０６は、輻輳状態判定部２０２により、当該基地局２００が輻輳状態であることが通知された場合、規制すべき期間を設定する。具体的には、一律に規制すべき期間が規定され、該一律に設定された期間が設定されてもよい。また、輻輳レベルに応じて規制すべき期間が選択されてもよい。輻輳レベルが高くなるに従って、規制すべき期間を長くする。輻輳レベルが高くなるに従って、輻輳が解消するまで長い時間を要すると想定されるためである。換言すれば、CPU使用率が高い状態となるに従って、規制すべき期間を長くする。具体的には、規制すべき期間として、選択候補が予め規定されてもよい。具体的には、規制期間設定部２０６は、1、５、10、20、30、60[sec]から規制すべき期間を選択してもよい。規制期間設定部２０６は、システムインフォメーション編集部２０８に、規制すべき期間を表す情報を入力する。
【００４３】
基地局２００は、システムインフォメーション編集部２０８を有する。該システムインフォメーション編集部２０８は、規制対象設定部２０４と、規制期間設定部２０６と接続される。システムインフォメーション編集部２０８には、規制対象設定部２０４により規制すべき対象を表す情報と、規制すべき内容を表す情報とが入力され、さらに、規制期間設定部２０６により規制すべき期間を表す情報が入力される。
【００４４】
システムインフォメーション編集部２０８は、規制すべき対象を表す情報と、規制すべき内容を表す情報と、規制すべき期間を表す情報とが入力された場合、報知情報が変更されることを表す情報を呼び出しメッセージ(Paging message)に含める。つまり、規制すべき対象を表す情報と、規制すべき内容を表す情報と、規制すべき期間を表す情報とが入力された場合には、システムインフォメーションが変更されるため、ページングメッセージ(Paging message)に、システムインフォモディフィケイションインフォメーションエレメント(systemInfoModification Information Element)を含める。
【００４５】
さらに、システムインフォメーション編集部２０８は、規制対象設定部２０４により入力されるべき規制すべき対象を表す情報と、規制対象設定部２０４により入力されるべき規制すべき内容を表す情報と、規制期間設定部２０６により入力されるべき規制すべき期間を表す情報とを含むシステムインフォメーションを編集する。つまり、システムインフォメーション編集部２０８は、システムインフォメーションブロック１(SIB1: System Information Block 1)のシステムインフォヴァリュータグインフォメーションエレメント(systemInfoValueTag IE)を更新する。
【００４６】
システムインフォメーション編集部２０８は、呼び出しメッセージ、システムインフォメーションを送信部２１０に入力する。
【００４７】
基地局２００は、送信部２１０を有する。該送信部２１０は、システムインフォメーション編集部２０８と接続される。送信部２１０は、システムインフォメーション編集部２０８により入力されるべき呼び出しメッセージを送信する。該呼び出しメッセージには、報知情報が変更されることを表す情報が含まれる。また、送信部２１０は、システムインフォメーション編集部２０８により入力されるべきシステムインフォメーションを送信する。
【００４８】
＜システムインフォメーションの送信例＞
図３は、システムインフォメーションの送信例を示す。図３において、横軸は時間である。基地局２００により送信されるべき報知チャネルは、報知チャネル変更期間(BCCH modification period)を単位として変更される。図３に示される例では、報知チャネル変更期間(l)にシステムインフォメーションに含まれる情報が変更されることが報知され（変更通知(Change notification)）、報知チャネル変更期間(l+1)に変更された情報を含むシステムインフォメーションが報知される（更新情報(Updated information)）。
【００４９】
送信部２１０は、システムインフォメーション編集部２０８からの呼び出しメッセージを送信する。該呼び出しメッセージには、システムインフォモディフィケイションインフォメーションエレメントが含まれる。送信部２１０は、全てのユーザ端末に受信されるように指定した呼び出しメッセージを送信するようにしてもよいし、呼び出しメッセージを受信させたいユーザ端末を指定した呼び出しメッセージを送信するようにしてもよい。
【００５０】
具体的には、規制すべき対象としてセルが選択され、且つ周波数帯により規制すべきセルが指定される場合には、呼び出しメッセージにより、該周波数帯で無線通信を行うユーザ端末が指定されてもよい。また、規制すべき対象としてセルが選択され、且つセクタにより規制すべきセルが指定される場合には、呼び出しメッセージにより、該セクタで無線通信を行うユーザ端末が指定されてもよい。また、基地局２００を単位として、該基地局２００によりカバーされるセルが切替えられる場合には、呼び出しメッセージにより、当該基地局２００によりカバーされるセルで無線通信を行うユーザ端末が指定されてもよい。
【００５１】
また、規制すべき対象として呼種が選択される場合には、呼び出しメッセージにより、当該基地局２００によりカバーされるセルで無線通信を行うユーザ端末が指定されてもよい。
【００５２】
また、規制すべき対象としてユーザ端末の種別が選択される場合には、呼び出しメッセージにより、該規制すべき対象のユーザ端末が指定されてもよい。
【００５３】
呼び出しメッセージを送信することにより、ユーザ端末１００に、システムインフォメーションが変更されることを通知できる。
【００５４】
送信部２１０は、システムインフォメーションを送信する。送信部２１０は、報知チャネル変更期間を単位として、該報知チャネル変更期間の間は同様の情報を含むシステムインフォメーションを送信する。システムインフォメーションは、規制すべき対象となるユーザ端末に受信されるように送信される。
【００５５】
具体的には、規制すべき対象としてセルが選択され、且つ周波数帯により規制すべきセルが指定される場合には、システムインフォメーションは、該周波数帯で、制御の対象となるセルで送信される。また、規制すべき対象としてセルが選択され、且つセクタにより規制すべきセルが指定される場合には、システムインフォメーションは、該セクタで送信される。また、基地局２００を単位として、該基地局２００によりカバーされるセルが切替えられる場合には、システムインフォメーションは、該基地局２００によりカバーされるセルのうち、制御の対象となるセルで送信される。
【００５６】
また、規制すべき対象として呼種が選択される場合には、システムインフォメーションは、該基地局２００によりカバーされるセルのうち、制御の対象となるセルで送信される。
【００５７】
また、規制すべき対象としてユーザ端末の種別が選択される場合には、システムインフォメーションは、該基地局２００によりカバーされるセルのうち、制御の対象となるセルで送信される。
【００５８】
規制すべき対象が複数である場合には、各規制すべき対象に対応するシステムインフォメーションを送信すべきエリアのうち、重複するエリアで送信されてもよい。また、規制すべき対象が複数である場合には、各規制すべき対象に対応するシステムインフォメーションを送信すべきエリアの全エリアで送信されてもよい。
【００５９】
図３に示される例では、送信部２１０は、報知チャネル変更期間において、同様の情報を含むシステムインフォメーションを4回送信する。送信部２１０は、システムインフォメーション編集部２０８からシステムインフォメーションが入力された際に送信しているシステムインフォメーションを報知チャネル変更期間が満了するまで送信し、該報知チャネル変更期間が満了した後、次の報知チャネル変更期間で、変更された情報を含むシステムインフォメーションを送信する。
【００６０】
＜基地局の動作＞
図４は、基地局２００の動作の一実施例を示す。図４において、Ｎはセルの識別番号を表し、Ｇは該基地局２００の有するセルの数を表す。Ｇは、該基地局２００において制御の対象とされるセルの数であってもよい。規制の対象とすべきセルが、基地局２００により制御されるセルの一部であることも想定されるためである。
【００６１】
基地局２００の動作の一例として、セル毎に、一般のユーザのユーザ端末からの発呼が規制される場合を示す。
【００６２】
基地局２００は、輻輳状態を測定する（ステップＳ４０２）。つまり、基地局２００は、輻輳状態判定情報を求める。該輻輳状態判定情報を求める処理は、定期的に行われてもよいし、不定期に行われてもよい。具体的には、CPU使用率を求める。
【００６３】
基地局２００は、輻輳状態であるかどうかを判定する（ステップＳ４０４）。つまり、輻輳判定部２０２は、ステップＳ４０２により求められた輻輳状態判定情報に基づいて、当該基地局２００が輻輳状態であるかどうかを判定する。
【００６４】
輻輳状態でないと判定された場合（ステップＳ４０４：ＮＯ）、ステップＳ４０２に戻る。つまり、規制すべき対象を切替える処理は行わない。規制すべき対象を切替える処理を行わないため、当該基地局２００とユーザ端末１００ｎとの間で送受信される信号量は抑制されない。
【００６５】
輻輳状態であると判定された場合（ステップＳ４０４：ＹＥＳ）、基地局２００は、規制すべき対象を選択する（ステップＳ４０６）。輻輳レベルに基づいて、規制すべき対象が選択されてもよい。つまり、規制対象設定部２０４は、セル、呼種、ユーザ端末の種別から、規制すべき対象を選択する。セル、呼種、ユーザ端末の種別のうちから１つが選択されてもよいし、２以上が選択されてもよい。
【００６６】
規制すべき対象としてセルが設定される際に、規制すべき内容として、セルの周波数帯が選択されてもよいし、セクタが選択されてもよい。セルの周波数帯、セクタの両方が選択されてもよい。
【００６７】
規制すべき内容としてセルの周波数帯が選択された場合には、規制すべきセルの周波数帯が順次切替えられ、該周波数帯に対応するセルが規制される。規制すべき内容としてセクタが選択された場合には、セクタが順次切替えられる。規制すべき対象として、当該基地局が選択された場合には、当該基地局によりカバーされるエリアが規制される。
【００６８】
規制すべき対象として呼種が設定される際に、規制すべき内容として、ユーザ端末からの発信信号、ユーザ端末からの発呼、回線交換サービスから選択されてもよい。ユーザ端末からの発信信号、ユーザ端末からの発呼、回線交換サービスから１つが選択されてもよいし、複数が選択されてもよい。
【００６９】
規制すべき対象としてユーザ端末の種別が設定される際に、規制すべき内容として、一般のユーザのユーザ端末、優先して接続すべきユーザのユーザ端末、保守等を行う者のユーザ端末から選択されてもよい。一般のユーザのユーザ端末、優先して接続すべきユーザのユーザ端末、保守等を行う者のユーザ端末から１つが選択されてもよいし、複数が選択されてもよい。
【００７０】
規制すべき対象としてユーザ端末の種別が設定される場合に、規制すべき内容として、一般のユーザのユーザ端末からの通信が規制されるように設定するようにしてもよい。必要に応じて、優先して接続すべきユーザのユーザ端末からの通信が規制されてもよいし、保守等を行う者のユーザ端末からの通信が規制されてもよい。
【００７１】
図４に示される例では、規制すべき対象として、セルと、ユーザ端末の種別とが選択される。さらに、規制すべき対象がセルの場合には、規制すべき内容としてセクタが選択され、規制すべき対象がユーザ端末の種別の場合には、規制すべき内容として一般のユーザのユーザ端末が選択される。
【００７２】
基地局２００は、輻輳レベルに基づいて、規制期間を設定する（ステップＳ４０８）。つまり、規制期間設定部２０６は、規制対象設定部２０４により選択された規制すべき対象を規制する期間を設定する。一律に規定された期間が設定されてもよいし、輻輳レベルに応じて、規制期間が設定されてもよい。具体的には、輻輳レベルに応じて規制期間が設定される場合、輻輳レベルと、規制期間とを対応付けたテーブル（図示なし）が用意されてもよい。さらに、規制すべき対象毎に、輻輳レベルと、規制期間とを対応付けたテーブルが用意されてもよい。規制すべき対象毎にテーブルが用意されることにより、規制すべき対象毎に異なる規制期間を設定できる。
【００７３】
図４に示される例では、規制期間として、5［sec］が選択される。
【００７４】
基地局２００は、呼び出しメッセージに、システムインフォモディフィケーションを挿入する（ステップＳ４１０）。つまり、システムインフォメーション編集部２０８は、システムインフォメーションに先だって送信すべき呼び出しメッセージに、システムインフォメーションが変更されることを表すシステムインフォメーションモディフィケーションを挿入する。
【００７５】
基地局２００は、システムインフォメーションを編集する（ステップＳ４１２）。つまり、システムインフォメーション編集部２０８は、規制すべき対象となるセクタを表す情報と、一般のユーザのユーザ端末からの発呼が規制されることを表す情報と、規制期間を表す情報とを含むシステムインフォメーションを編集する。
【００７６】
基地局２００は、セルの識別子（識別番号）を表すＮを１に設定する（ステップＳ４１４）。つまり、規制対象設定部２０４、規制期間設定部２０６は、セルの識別番号を表すＮを１に設定する。
【００７７】
基地局２００は、識別番号がＮにより表される第Ｎセルのユーザ端末に対し、呼び出しメッセージを送信する（ステップＳ４１６）。つまり、送信部２１０は、第Ｎセルにおいて、呼び出しメッセージを送信する。該呼び出しメッセージを送信することにより、第Ｎセルのユーザ端末に、変更された情報を含むシステムインフォメーションが、現在の報知チャネル変更期間の終了後に送信されることを通知できる。
【００７８】
基地局２００は、第Ｎセルで、変更後のシステムインフォメーションを送信する（ステップＳ４１８）。つまり、送信部２１０は、第Ｎセルにおいて、システムインフォメーションを報知する。該システムインフォメーションを送信することにより、第Ｎセルのユーザ端末に、変更された情報を含むシステムインフォメーションを通知できる。
【００７９】
基地局２００は、セルの識別番号を表すＮが、セルの数を表すＧと同じであるかどうかを判定する（ステップＳ４２０）。つまり、規制対象設定部２０４、規制期間設定部２０６は、セルの識別番号を表すＮがセルの数を表すＧと同じであるかどうかを判定する。
【００８０】
セルの識別番号を表すＮがセルの数を表すＧと同じであると判定される場合（ステップＳ４２０：ＹＥＳ）、終了する。ステップＳ４０２に戻り、輻輳状態を測定する処理から開始されてもよい。輻輳状態を測定する処理は、定期的に実行されてもよいし、不定期に実行されてもよい。
【００８１】
セルの識別番号を表すＮがセルの数を表すＧと同じであると判定されない場合（ステップＳ４２０：ＮＯ）、基地局２００は、Ｎに１を加えた数を新たなＮとし（ステップＳ４２２）、ステップＳ４１６に戻る。つまり、規制対象設定部２０４、規制期間設定部２０６は、Ｎに１を加えた数を新たなＮとし、セルの識別番号を表すＮがセルの数を表すＧと同じになるまで、同様の処理を継続する。
【００８２】
ステップＳ４０２−Ｓ４２２の処理は、基地局２００の有する中央演算処理装置（図示無し）により実行される。中央演算処理装置を基地局２００として機能させるためのプログラムは、例えば、フレキシブルディスク、ＣＤ−ＲＯＭ、メモリカード等の記録媒体に記録された状態で提供される。また、プログラムを、通信網（図示なし）を介してダウンロードするようにしてもよい。この記録媒体をコンピュータの補助記憶装置に挿入すると、記録媒体に記録されたプログラムが読み取られる。中央演算処理装置は、読み込んだプログラムをＲＡＭあるいはＨＤＤに書き込み、処理を実行する。プログラムは、コンピュータに、図４の各ステップＳ４０２−Ｓ４２２を実行させる。また、例えば、プログラムは、少なくとも一部のステップを実行されるようにしてもよい。
【００８３】
図４に示されるフローチャートにおいて、ステップＳ４０８、ステップ４１０、ステップＳ４１２の順序は入れ替えられてもよいし、同時に行われてもよい。
【００８４】
図５は、基地局２００の動作を示す。基地局２００は、図４に示されるフローチャートに従って処理を行う。
【００８５】
セル＃１の一般ユーザのユーザ端末からの発呼が５秒間規制される。セル＃１の一般ユーザのユーザ端末からの発呼が規制された後、セル＃２の一般ユーザのユーザ端末からの発呼が５秒間規制される。セル＃２の一般ユーザのユーザ端末からの発呼が規制された後、セル＃３の一般ユーザのユーザ端末からの発呼が５秒間規制される。
【００８６】
一般ユーザのユーザ端末からの発呼が規制されるセルが順次切替えられるため、各ユーザ端末からの上りリンクの信号を均等に抑制できる。
【００８７】
上述した実施例において、規制すべき対象として、セル、呼種、ユーザ端末の種別とともに、他の項目も含めて選択されるようにしてもよい。
【００８８】
本実施例によれば、基地局が輻輳した場合に、規制すべき対象を切替えることにより、該基地局への上りリンクの信号を抑制できる。
【００８９】
以上の実施例を含む実施形態に関し、更に、以下の項目を開示する。
【００９０】
（１）ユーザ端末との間で無線通信を行う基地局であって、
当該基地局が輻輳状態であるかどうかを判定する輻輳状態判定部と、
該輻輳状態判定部により輻輳状態であると判定された場合に、複数の規制すべき対象から、規制すべき対象を順次設定する規制対象設定部と、
前記輻輳状態判定部により輻輳状態であると判定された場合に、該輻輳状態に基づいて、規制すべき期間を設定する規制期間設定部と、
前記規制対象設定部により設定されるべき規制すべき対象を表す情報と、前記規制期間設定部により設定されるべき規制期間を表す情報とを通知するための情報を生成する通知情報生成部と、
ユーザ端末に、前記通知情報生成部により生成された情報を送信する送信部と
を有する、基地局。
【００９１】
（２）（１）に記載の基地局において、
前記規制対象設定部は、セル、呼種、ユーザ端末の種別から、規制すべき対象を選択する、基地局。
【００９２】
（３）（２）に記載の基地局において、
前記規制対象設定部は、規制すべき対象としてセルを選択した場合に、周波数及びセルの識別子のうち、少なくとも一方により、規制すべきセルを指定する、基地局。
【００９３】
（４）（２）に記載の基地局において、
前記規制対象設定部は、規制すべき対象として呼種を選択した場合に、ユーザ端末からの発呼、ユーザ端末からの発信信号、及び回線交換サービスのうち、少なくとも１つにより、規制すべき呼種を指定する、基地局。
【００９４】
（５）（２）に記載の基地局において、
前記規制対象設定部は、規制すべき対象としてユーザ端末の種別を選択した場合に、一般のユーザのユーザ端末、優先して接続すべきユーザのユーザ端末、及び保守を行う者のユーザ端末ユーザ端末のうち、少なくとも１つにより、規制すべきユーザ端末の種別を指定する、基地局。
【００９５】
（６）（１）に記載の基地局において、
前記通知情報生成部は、報知情報が変更されることを表す情報を含む呼び出しメッセージと、前記規制対象設定部により設定されるべき規制すべき対象を表す情報と、前記規制期間設定部により設定されるべき規制期間を表す情報とを通知するための情報とを含むシステムインフォメーションを生成する、基地局。
【００９６】
（７）ユーザ端末との間で無線通信を行う基地局における通信制御方法であって、
当該基地局が輻輳状態であるかどうかを判定する輻輳状態判定ステップと、
該輻輳状態判定ステップにより輻輳状態であると判定された場合に、複数の規制すべき対象から、規制すべき対象を順次設定する規制対象設定ステップと、
前記輻輳状態判定ステップにより輻輳状態であると判定された場合に、該輻輳状態に基づいて、規制すべき期間を設定する規制期間設定ステップと、
前記規制対象設定ステップにより設定されるべき規制すべき対象を表す情報と、前記規制期間設定ステップにより設定されるべき規制期間を表す情報とを通知するための情報を生成する通知情報生成ステップと、
ユーザ端末に、前記通知情報生成ステップにより生成された情報を送信する送信ステップと
を有する、通信制御方法。
【００９７】
説明の便宜上、発明の理解を促すため具体的な数値例を用いて説明されるが、特に断りのない限り、それらの数値は単なる一例に過ぎず適切な如何なる値が使用されてよい。
【００９８】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【００９９】
１００ｎ（ｎは、ｎ＞０の整数）  ユーザ端末
２００  基地局
２０２  輻輳状態判定部
２０４  規制対象設定部
２０６  規制期間設定部
２０８  システムインフォメーション編集部
２１０  送信部
２５０ｍ（ｍは、ｍ＞０の整数）  セル
【図１】
2012231335.tif 000003
【図２】
2012231335.tif 000004
【図３】
2012231335.tif 000005
【図４】
2012231335.tif 000006
【図５】
2012231335.tif 000007